(57)【要約】【課題】筐体内に侵入した空気中に含まれるゴミがディスク再生モジュール内に侵入することを防止する。【解決手段】挿入口７を含む空気流入口から筐体２に流入した空気に作用して、空気中に含まれる、空気より比重が大きいゴミを当該空気から分離除去する壁部６を備えた。【選択図】図１
2011238313.tif 000002
【特許請求の範囲】
【請求項１】
ディスクを挿入する挿入口を有する筐体と、前記挿入口から挿入されたディスクを受け入れる受入口を有する、前記筐体内に配置されたディスク再生モジュールとを備えたディスク装置において、
前記挿入口を含む空気流入口から前記筐体に流入した空気に作用して、空気中に含まれる、空気より比重が大きいゴミを当該空気から分離除去する壁部を備えた
ことを特徴とするディスク装置。
【請求項２】
ディスク通過切り込みを有し、挿入口に設けられた第１のゴミ遮断シートと、
ディスク通過切り込みを有し、受入口に設けられた第２のゴミ遮断シートとを備え、
前記第１のゴミ遮断シートのディスク通過切り込みから流入した空気中に含まれる、空気より比重が大きいゴミがディスク再生モジュール内に流入しないように、前記第２のゴミ遮断シートのディスク通過切り込みを前記第１のゴミ遮断シートのディスク通過切り込みより高い位置に配置した
ことを特徴とする請求項１記載のディスク装置。
【請求項３】
筐体内をディスク再生モジュールが位置する上部と下部とに二分する仕切り壁と、
前記筐体の側面下部に形成された空気流出口に対向して設けられたファンと、
前記筐体の他の側面に形成され、前記ファンにより前記筐体外部から空気が吸引される空気流入口と、
前記空気流入口から流入した空気の流通方向を下方向に変換するように前記空気流入口に対向して設けられた垂直壁と、
前記垂直壁により下方向に変換され前記仕切り壁の下部を流れる空気を上部に流すように当該仕切り壁に形成された第１の穴と、
前記仕切り壁の上部を流れた空気を下部に排出するように当該仕切り壁に形成された第２の穴とを備えた
ことを特徴とする請求項１記載のディスク装置。
【請求項４】
仕切り壁の下面には、前記垂直壁により下方向に変換され当該仕切り壁の下部を流れる空気を第１の穴に導く垂直壁が設けられた
ことを特徴とする請求項３記載のディスク装置。
【請求項５】
仕切り壁の上面には、当該仕切り壁上部を流れた空気を第２の穴に導く垂直壁が設けられた
ことを特徴とする請求項３記載のディスク装置。
【発明の詳細な説明】
【技術分野】
【０００１】
この発明は、ディスクを再生するディスク再生モジュールへのゴミの侵入を防止する機能を備えたディスク装置に関するものである。
【背景技術】
【０００２】
カーオーディオやナビ機器などのディスク装置において、ディスク再生を行うディスク再生モジュール（メカ部品）内に塵埃などのゴミが侵入すると、このディスク再生モジュール内に設けられた、ディスクの読み取りを行うピックアップが汚れる。この状態を放置しておくとピックアップがディスクの読み取りを行うことができなくなり、再生不良を起こす恐れがある。
【０００３】
そこで、従来のディスク装置では、挿入口から挿入されたディスクをディスク再生モジュールに搬送・挿入するディスク挿入用ガイドに、ディスク径より大きなディスク通過切り込みが入れられた柔軟性を有するゴミ遮断シートが貼り付けられている。これにより、挿入口から挿入されたディスクが、ディスク通過切り込み部分でゴミ遮断シートと擦れあいながらディスク再生モジュールに搬送・挿入される。そのため、ディスクに付着しているゴミが、ゴミ遮断シートに付着し、または脱落し、ディスク再生モジュール内へのゴミの侵入を防止することができる（例えば特許文献１参照）。
【０００４】
また、ディスク挿入用ガイドの挿入口側とディスク再生モジュール側に計２枚のゴミ遮断シートが貼り付けられたものもある。このように構成することによって、挿入口側のゴミ遮断シートにおいて一部のゴミを取り損ねた場合にも、ディスク再生モジュール側のゴミ遮断シートによって再度ゴミを取り除くことができるため、ゴミの除去能力を高めることができる。
【０００５】
また、ディスク再生時などディスク再生モジュールが稼働している場合には、このディスク再生モジュールから熱が発生する。この熱を放置しておくとディスク再生モジュールや周囲部品が高温となり故障原因となる恐れがあるため、ディスク再生モジュール周辺の熱を除去する必要がある。
【０００６】
そこで、従来のディスク装置では、筐体の一方の側面にはファンが取り付けられ、筐体の他方の側面には空気流入口が形成されている。そして、ディスク再生モジュールが稼動している際にファンを駆動して、空気流入口を介して筐体外部から空気を吸入し、ディスク再生モジュール周辺に強制的に空気の流れを作ることによって、ディスク再生モジュール周辺の熱を除去することができる。
【先行技術文献】
【特許文献】
【０００７】
【特許文献１】実開平７−１９８９１号公報
【発明の概要】
【発明が解決しようとする課題】
【０００８】
従来のディスク装置では、ゴミ遮断シートを用いて、ディスクを挿入する際に、ディスクに付着しているゴミを取り除くことによってディスク再生モジュール内へのゴミの侵入を防止している。しかしながら、ディスク再生モジュールが稼動している場合に、ディスク再生時のディスクの回転により生じた空気の流れや、ファンによる吸引力によって、ディスク通過切り込みのわずかな隙間からゴミが微量ではあるが侵入してしまう。この状態を放置しておくと、ピックアップが汚れ、再生不良を起こす恐れがあるという課題がある。
【０００９】
また、従来のディスク装置では、ファンを用いて、筐体外部から空気を吸引することによってディスク再生モジュール周辺の熱を除去している。この際、ディスク再生モジュール周辺に流入した空気中に含まれる塵埃量が少なければピックアップが再生不良に至ることはない。しかしながら、ディスク装置を塵埃が多い地域・場所で用いた場合には、多量の塵埃がディスク再生モジュール内に侵入する恐れがあり、ピックアップが汚れ、再生不良を起こす恐れがあるという課題がある。
なお、これに対して、ディスク再生モジュールの周囲全面または平面上にフィルムを隙間無く貼り付けることによって、ディスク再生モジュール内への塵埃の侵入を防止する方法も考えられる。しかしながらこの場合、塵埃の侵入は防止することができるが、ディスク再生モジュール周辺への空気の流れがなくなるため、熱の除去が不十分となるという課題がある。
【００１０】
この発明は、上記のような課題を解決するためになされたもので、筐体内に侵入した空気中に含まれるゴミがディスク再生モジュール内に侵入することを防止することができるディスク装置を提供することを目的としている。
【課題を解決するための手段】
【００１１】
この発明に係るディスク装置は、挿入口を含む空気流入口から筐体に流入した空気に作用して、空気中に含まれる、空気より比重が大きいゴミを当該空気から分離除去する壁部を備えたものである。
【発明の効果】
【００１２】
この発明によれば、上記のように構成したので、筐体内に流入した空気中に含まれる、空気より比重が大きいゴミを空気から分離除去することで、ディスク再生モジュール内へのゴミの侵入を防止することができる。
【図面の簡単な説明】
【００１３】
【図１】この発明の実施の形態１に係るディスク装置の構成を示す側断面図である。
【図２】この発明の実施の形態１におけるゴミ遮断シートの構成を示す平面図である。
【図３】この発明の実施の形態２に係るディスク装置の構成を示す正断面図である。
【発明を実施するための形態】
【００１４】
以下、この発明の実施の形態について図面を参照しながら詳細に説明する。
実施の形態１．
ディスク装置１は、図１に示すように、筐体２、ディスク挿入用ガイド３、ディスク再生モジュール（メカ部品）４および第１，２のゴミ遮断シート５，６から構成されている。
【００１５】
筐体２は、ディスク挿入用ガイド３やディスク再生モジュール４などを収納したものである。この筐体２の前面には、ディスクを挿入するための挿入口７が形成されている。この挿入口７は、長手方向がディスク径よりも大きく、かつ、短手方向がディスク厚よりも大きく形成されている。
【００１６】
ディスク挿入用ガイド３は、挿入口７とディスク再生モジュール４との間に設けられ、挿入口７から挿入されたディスクをディスク再生モジュール４に搬送・挿入する通路を有するものである。なお、このディスク挿入用ガイド３は、不図示の駆動源からの駆動力によってディスクの搬送・挿入を行っている。
ディスク再生モジュール４は、ディスク挿入用ガイド３により挿入されたディスクの再生を行う不図示のピックアップなどが設けられたものである。このディスク再生モジュール４の前面には、ディスク挿入用ガイド３からのディスクを受け入れる受入口（不図示）が形成されている。
【００１７】
第１のゴミ遮断シート５は、ディスク挿入用ガイド３の前面に貼り付けられ、挿入口７からディスク挿入用ガイド３に挿入されるディスクに付着している塵埃などのゴミを取り除くものである。この第１のゴミ遮断シート５は、不織布やゴムなどの柔軟性を有する素材から構成され、図２に示すように、中央部分には、長手方向に沿ってディスク径より大きなディスク通過切り込み５ａが形成されている。また、ディスク通過切り込み５ａの両端には、短手方向に沿って切り込み５ｂが形成されている。これにより、ディスクが挿入された際に、ディスク通過切り込み５ａ部分がめくれ、ディスク通過切り込み５ａ部分でディスクが第１のゴミ遮断シート５と擦れあうように構成されている。
【００１８】
第２のゴミ遮断シート６は、ディスク再生モジュール４の前面に貼り付けられ、ディスク挿入用ガイド３からディスク再生モジュール４に挿入されるディスクに付着しているゴミを取り除くものである。この第２のゴミ遮断シート６は、第１のゴミ遮断シート５と同様に構成されている。ただし、第２のゴミ遮断シート６のディスク通過切り込み６ａは、ディスク通過切り込み５ａから流入した空気中に含まれるゴミがディスク再生モジュール４内に流入しないように、第２のゴミ遮断シート６の中央部分より上側に形成されている。
なお、第１，２のゴミ遮断シート５，６の貼り付け位置は、その中心部分がディスク挿入位置に対して同一高さとなるように設定されている。
【００１９】
次に、上記のように構成されたディスク装置１によるディスク再生モジュール４内へのゴミ侵入防止機能について説明する。まず、ディスク装置１にディスクを挿入する際のディスク再生モジュール４内へのゴミ侵入防止機能について説明する。
ディスクを挿入口７から挿入すると、ディスクは第１のゴミ遮断シート５に接触する。そのままディスクの挿入を行うと、ディスクによる押圧力によってディスク通過切り込み５ａ部分がめくれて、ディスクがディスク挿入用ガイド３に挿入される。この際、ディスクがディスク通過切り込み５ａ部分で第１のゴミ遮断シート５と擦れながら挿入されるため、このディスクに付着しているゴミが第１のゴミ遮断シート５に付着、または脱落する。
【００２０】
次いで、ディスク挿入用ガイド３によりディスクがディスク再生モジュール４側に搬送されると、ディスクは第２のゴミ遮断シート６に接触する。そのままディスクが挿入されると、ディスクによる押圧力によってディスク通過切り込み６ａ部分がめくれて、ディスクが受入口を介してディスク再生モジュール４に挿入される。この際、ディスクがディスク通過切り込み６ａ部分で第２のゴミ遮断シート６と擦れながら挿入されるため、第１のゴミ遮断シート５で取り損ねたゴミが第２のゴミ遮断シート６に付着、または脱落する。これにより、ディスク再生モジュール４内へのゴミの侵入を防止することができる。
【００２１】
次に、ディスク再生モジュール４が稼動している場合のディスク再生モジュール４内へのゴミ侵入防止機能について説明する。
ディスク再生モジュール４が稼動している場合、ディスク再生時のディスクの回転により生じた空気の流れや、ディスク再生モジュール４周辺の熱を除去するためのファン（不図示）による吸引力によって、ディスク通過切り込み５ａのわずかな隙間からゴミを含む空気が微量ではあるが侵入してしまう。
【００２２】
しかしながら、このゴミは、空気に対して比重が大きいため、ディスク挿入用ガイド３内をディスク再生モジュール４側に向かって流れていく中で空気から分離して徐々に下降していく。その後、ゴミは第２のゴミ遮断シート６に到達する。この際、ディスク通過切り込み６ａ位置はディスク通過切り込み５ａ位置に対して高く、ゴミはディスク通過切り込み５ａ位置からさらに下降しているため、ゴミはゴミ遮断シート６のディスク通過切り込み６ａより下位部分に衝突して脱落する。これにより、ディスク通過切り込み６ａからディスク再生モジュール４内にゴミが侵入することを防止することができる。
【００２３】
以上のように、この実施の形態１によれば、ディスク挿入用ガイド３の前面に第１のゴミ遮断シート５を貼り付け、ディスク再生モジュール４の前面に第２のゴミ遮断シート６を貼り付け、ディスク通過切り込み６ａをディスク通過切り込み５ａ位置に対して高い位置に配置するように構成したので、ディスク通過切り込み５ａからゴミを含む空気が侵入した場合にも、第２のゴミ遮断シート６に到達するまでにゴミは空気から分離して下降して、ゴミ遮断シート６のディスク通過切り込み６ａより下位部分に衝突して脱落するため、ディスク通過切り込み６ａからディスク再生モジュール４内にゴミが侵入することを防止することができる。
【００２４】
なお、この実施の形態１では、ディスク通過切り込み６ａを第２のゴミ遮断シート６の中央部分より上側に形成するように構成したが、ディスク通過切り込み６ａは第２のゴミ遮断シート６の中央部分に形成して、第２のゴミ遮断シート６の貼り付け位置を、第１のゴミ遮断シート５の貼り付け位置に対して高くするように構成してもよい。
【００２５】
実施の形態２．
実施の形態１では、ディスク通過切り込み５ａから流入した空気に含まれるゴミがディスク再生モジュール４内に侵入することを防止する構成について示したが、実施の形態２は、ディスク再生モジュール４から発生した熱を除去するために筐体２外部から吸入した空気に含まれるゴミがディスク再生モジュール４内に侵入することを防止する構成について示す。
なお、図３に示す実施の形態２に係るディスク装置１において、図１に示す実施の形態１に係るディスク装置１と同様の構成については同一の符号を付して、その説明を省略する。なお、ディスク再生モジュール４は、筐体２内上部に設置されている。
【００２６】
図３に示すように、筐体２の側面下部には、ディスク再生モジュール４から発生した熱を除去するためのファン８が設けられている。このファン８は、筐体２の他の側面上部に形成された空気流入口９を介して筐体２外部から空気を吸引する。なお、ファン８が設けられた筐体２側面には、ファン８に対向する位置に、筐体２内を流れた空気を外部に排出するための空気排出口１０が形成されている。
【００２７】
筐体２内には、この筐体２内をディスク再生モジュール４が位置する上部と下部とに二分する水平に配置された仕切り壁１１が設けられている。この仕切り壁１１の空気流入口９側端部には、空気流入口９から流入した空気の流通方向を下方向に変換するように、空気流入口９に対向して配置された垂直壁１２が設けられている。
また、仕切り壁１１には、垂直壁１２に近接する位置に、垂直壁１２により下方向に流され仕切り壁１１下部を流れる空気を仕切り壁１１上部に流すための空気流入口（第１の穴）１３が形成されている。また、仕切り壁１１のファン８側には、仕切り壁１１上部を流れた空気を仕切り壁１１下部に排出するための空気排出口（第２の穴）１４が形成されている。
【００２８】
また、仕切り壁１１の下面には、空気流入口１３の近傍に、垂直壁１２により下方向に流され仕切り壁１１下部を流れる空気を空気流入口１３に導くための垂直壁１５が設けられている。さらに、仕切り壁１１の上面には、空気排出口１４側端部に、仕切り壁１１上部を流れた空気を空気排出口１４に導くための垂直壁１６が設けられている。
【００２９】
次に、上記のように構成されたディスク装置１によるディスク再生モジュール４内へのゴミ侵入防止機能について説明する。なお、図３において、白塗りの矢印は空気の流れを示し、黒塗りの矢印は空気に含まれるゴミの流れを示している。
図３に示すように、ディスク再生モジュール４から発生する熱を除去するためにファン８を駆動すると、このファン８による吸引力によって空気流入口９を介して筐体２外部から空気が吸引される。この空気流入口９から流入した空気は、垂直壁１２に衝突して下方向に流される。この際、空気中に含まれるゴミは、空気に対して比重が大きいため、空気から分離して下降していく。
【００３０】
次いで、垂直壁１２により下方向に流され仕切り壁１１下部を流れる空気は、垂直壁１５により空気流入口１３に導かれ、ファン８による吸引力によって空気流入口１３を介して仕切り壁１１上部側に流れる。この際、空気から分離して下降したゴミは、上部に設置された空気流入口１３まで舞い上がることはできず、ディスク再生モジュール４が設けられた仕切り壁１１上部側に侵入することができない。
【００３１】
次いで、仕切り壁１１上部側に流れた空気は、ディスク再生モジュール４周辺の熱を除去した後、垂直壁１６により空気排出口１４に導かれ、ファン８による吸引力によって空気排出口１４を介して仕切り壁１１下部側に排出される。その後、空気排出口１０を介して筐体２外部に排出される。
一方、空気から分離したゴミは、仕切り壁１１下部側をファン８に向かって流れた後、空気排出口１０を介して筐体２外部に排出される。
このように、ディスク再生モジュール４周辺にはゴミが分離除去された空気が流れるため、ディスク再生モジュール４内へのゴミの侵入を防止することができ、かつ、ディスク再生モジュール４周辺の熱を除去することができる。
【００３２】
なお、空気流入口１３を介して仕切り壁１１上部側に空気が流れている際に、微量のゴミがこの空気に交じって仕切り壁１１上部側に侵入してしまう場合がある。しかしながら、ゴミは空気に対して比重が大きいため、仕切り壁１１上部側に侵入した後、空気から分離して下降していく。そのため、このゴミは、ディスク再生モジュール４の下部に設置された空気排出口１４から仕切り壁１１下部側に排出されやすく、ディスク再生モジュール４周辺にゴミが滞留することを抑制することができる。
また、垂直壁１６によって、ディスク再生モジュール４側に流れたゴミを空気排出口１４に導くことができるため、ディスク再生モジュール４周辺でのゴミの滞留をさらに抑制することができる。
【００３３】
以上のように、この実施の形態２によれば、筐体２内をディスク再生モジュール４が位置する上部と下部とに二分する仕切り壁１１と、空気流入口９から流入した空気の流通方向を下方向に変換する垂直壁１２とを設け、仕切り壁１１に、垂直壁１２により下方向に流され仕切り壁１１下部を流れる空気を仕切り壁１１上部に流す空気流入口１３を形成するように構成したので、空気流入口９から流入した空気にゴミが含まれる場合にも、この空気を垂直壁１２によって下方向に流して、空気に対して比重が大きいゴミを分離させることによって、このゴミが上部に設置された空気流入口１３から仕切り壁１１上部側に侵入することを防止し、ゴミが分離除去された空気を仕切り壁１１上部側に流すことができるため、ディスク再生モジュール４内へのゴミの侵入を防止することができ、かつ、ディスク再生モジュール４周辺の熱を除去することができる。
【符号の説明】
【００３４】
１  ディスク装置、２  筐体、３  ディスク挿入用ガイド、４  ディスク再生モジュール、５  第１のゴミ遮断シート、５ａ，６ａ  ディスク通過切り込み、５ｂ  切り込み、６  第２のゴミ遮断シート、７  挿入口、８  ファン、９  空気流入口、１０  空気排出口、１１  仕切り壁、１２  垂直壁、１３  空気流入口（第１の穴）、１４  空気排出口（第２の穴）、１５  垂直壁、１６  垂直壁。
【図１】
2011238313.tif 000003
【図２】
2011238313.tif 000004
【図３】
2011238313.tif 000005